(57)【要約】  この方法では、ソース基地局ＡＳＮが、第１の情報をターゲット基地局ＡＳＮに送信する。第１の情報は、ソース基地局によって移動局に送達されていないデータ・ユニットのシーケンス内の第１のデータ・ユニットのシーケンス番号を示す。ソース基地局は、ターゲット基地局に第２の情報をも送信する。第２の情報は、ソース基地局によって移動局ＭＳＳに送達された、シーケンス内の第１の未送達データ・ユニットの後のデータ・ユニットを示す。第２の情報はさらに、ソース基地局によって移動局に送達された、第１の未送達データ・ユニットの部分を示してもよい。
2008546311.tif 000002
【特許請求の範囲】
【請求項１】
ソース基地局ＡＳＮからターゲット基地局ＡＳＮに移動局ＭＳＳを受け渡すための方法であって、
前記ソース基地局ＡＳＮによって前記移動局ＭＳＮに送達されていないデータ・ユニットのシーケンス内の第１のデータ・ユニットのシーケンス番号を示す第１の情報を送信するステップと、
前記ソース基地局ＡＳＮによって前記移動局ＭＳＳに送達された、前記シーケンス内の前記第１の未送達データ・ユニットの後のデータ・ユニットを示す第２の情報を送信するステップとを含む方法。
【請求項２】
前記第２の情報がさらに、前記第１の未送達のデータ・ユニットのうち、前記ソース基地局によって前記移動局に送達された部分を示す、請求項１に記載の方法。
【請求項３】
前記第２の情報が、前記第１の未送達データ・ユニットのうち送達された部分を示すために前記第１の未送達データ・ユニットの未送達の部分を識別する、請求項２に記載の方法。
【請求項４】
前記第２の情報が、前記移動局への送信のために前記データ・ユニットを送信ユニットへと形成するために前記ソース基地局によって使用されるプロトコルを示す、請求項２に記載の方法。
【請求項５】
前記第１の情報が、前記データ・ユニットのシーケンス内の前記第１の未送達データ・ユニットの前記シーケンス番号を示す前記第１の未送達データ・ユニットの前記シーケンス番号、および前記データ・ユニットのシーケンス内の前記第１の未送達データ・ユニットの前記シーケンス番号を示す送達済みデータ・ユニットのシーケンス番号のうちの１つを含む、請求項１に記載の方法。
【請求項６】
ソース基地局ＡＳＮからターゲット基地局ＡＳＮに移動局ＭＳＳを受け渡すための方法であって、
前記ソース基地局ＡＳＮによって前記移動局ＭＳＳに送達されていないデータ・ユニットのシーケンス内の第１のデータ・ユニットのシーケンス番号を示す第１の情報を受信するステップと、
前記ソース基地局ＡＳＮによって前記移動局ＭＳＳに送達された、前記シーケンス内の前記第１の未送達データ・ユニットの後のデータ・ユニットを示す第２の情報を受信するステップとを含む方法。
【請求項７】
前記第２の情報がさらに、前記第１の未送達データ・ユニットのうち、前記ソース基地局によって前記移動局に送達された部分を示す、請求項６に記載の方法。
【請求項８】
ソース基地局ＡＳＮからターゲット基地局ＡＳＮに移動局ＭＳＳを受け渡す方法であって、
前記ターゲット基地局ＡＳＮに第１の粒度のデータを送信するステップと、
前記ソース基地局ＡＳＮによって前記移動局ＭＳＳに送達されていないデータを前記第１の粒度とは異なる第２の粒度で示す情報を前記ソース基地局ＡＳＮから送信するステップとを含む方法。
【請求項９】
ソース基地局ＡＳＮからターゲット基地局ＡＳＮに移動局ＭＳＮを受け渡す方法であって、
前記ソース基地局ＡＳＮから第１の粒度のデータを受信するステップと、
前記ソース基地局ＡＳＮによって前記移動局ＭＳＮに送達されていないデータを前記第１の粒度とは異なる第２の粒度で示す情報を前記ソース基地局ＡＳＮから受信するステップとを含む方法。
【発明の詳細な説明】
【技術分野】
【０００１】
本発明は、移動局のシームレスなセッション転送のための方法に関する。
【背景技術】
【０００２】
移動局または移動加入者局（たとえばハンドセット、無線装備のコンピュータ、無線装備のＰＤＡなど）が、ある無線ネットワークから別の無線ネットワークに移動する間、サービス側またはソース無線ネットワークは、基地局の通信要求に応える役割を新しいまたはターゲット・ネットワークに引き渡す（ハンドオフする）。好ましくは、ハンドオフ技術によって、ソースからターゲット・ネットワークへの転送（受け渡し）が移動局にとってシームレスに行われることになる。しかし、データ・セッションに関与する移動局へのシームレスな転送を提供することによって、追加の課題がもたらされることがある。
【０００３】
たとえば、移動体のユーザは、リアルタイムのデータが提供されることに依存する移動局上でアプリケーションを実行していることがある。移動局の通信要求に対処する際の中断は（わずかな中断でさえ）、移動体ユーザに容易に明らかになる。
【発明の開示】
【発明が解決しようとする課題】
【０００４】
したがって、ソース・ネットワークからターゲット・ネットワークへの移動局のハンドオフ中にデータ・セッションのシームレスな転送を提供することは、複数の無線通信規格の開発および発展における進行中の課題のうちの１つである。たとえば、この問題は現在、８０２．１６ｅ規格の開発の主題である。
【課題を解決するための手段】
【０００５】
本発明は、移動体無線通信のシームレスなセッション転送に関する。
一実施形態では、第１の情報が、ターゲット基地局に送信される。第１の情報は、ソース基地局によって移動局に送達されていない、データ・ユニットのシーケンス内の第１のデータ・ユニットのシーケンス番号を示す。ソース基地局は、ターゲット基地局に第２の情報をも送信する。第２の情報は、シーケンス内の第１の未送達データ・ユニットの後の、ソース基地局によって移動局に送達されたデータ・ユニットを示す。
一実施形態では、第２の情報はさらに、ソース基地局によって移動局に送達された、第１の未送達データ・ユニットの部分を示してもよい。
【０００６】
別の実施形態では、第２の情報は、データ・ユニットを移動局への送信用の送信ユニットに形成するためにソース基地局によって使用されたプロトコルを示してもよい。
別の実施形態では、この方法は、第１の未送達のデータ・ユニットから始めて、データ・ユニットをターゲット基地局に送信することをも含む。
【０００７】
この方法の一実施形態では、第１の粒度（granularity）のデータが、ターゲット基地局に送信される。ソース基地局は、ソース基地局によって移動局にうまく送達されていないデータを第２の粒度で示す情報をターゲット基地局に送信する。第２の粒度は、第１の粒度と異なっていてもよい。たとえば、第２の粒度は、第１の粒度より大きいことも、小さいこともある。
【０００８】
一実施形態では、第２の粒度は、ソース基地局の基地局が移動局にデータを無線で転送する粒度と同じであってもよい。したがって、第２の粒度は、可変サイズであり、第２の粒度のデータを形成する方法に依存してもよく、あるいは、第２の粒度は、固定サイズのものであり、恐らくは、第２の粒度のデータを形成する方法に依存することもある。別の例として、第２の粒度は、バイトなど、知られている固定量であってもよい。
【０００９】
本発明は、本明細書の以下に示された詳細な説明、および例示するためだけに示された添付の図面からより完全に理解されよう。図面では、同じ参照符号は、様々な図面中の対応する部分を指す。
【発明を実施するための最良の形態】
【００１０】
本発明は、移動局がソース無線ネットワークからターゲット無線ネットワークに移動する間の移動局のシームレスなセッション転送を提供する。本発明の諸実施形態は、説明のためだけに、ＷｉＭａｘすなわち８０２．１６ｅアーキテクチャで実装されるものとして述べられている。したがって、まず２つの可能なＷｉＭａｘの参照アーキテクチャについて、図１および２を参照して述べる。次いで、本発明の第１および第２の例示的な実施形態について、図１および２を参照して述べる。
【００１１】
アーキテクチャ
図１は、ＷｉＭａｘすなわち８０２．１６ｅシステムの集中型アーキテクチャの一例を示している。示されるように、コネクティビティ・サービス・ネットワーク、すなわちＣＳＮ（ｃｏｎｎｅｃｔｉｖｉｔｙ  ｓｅｒｖｉｃｅ  ｎｅｔｗｏｒｋ）は、インターネットなどのデータ・ネットワークと通信する（それにデータを転送し、そこからデータを受信する）。ＣＳＮは、図１に示されたＡＳＮ１およびＡＳＮ２など、１つまたは複数のアクセス・サービス・ネットワーク（すなわちＡＳＮ）と通信する。それぞれのアクセス・サービス・ネットワークＡＳＮは、インターフェース、この実施例ではＲ３インターフェースを介してＣＳＮと通信する単一のＡＳＮゲートウェイ、すなわちＡＳＮ−ＧＷを含む。ＡＳＮ−ＧＷは、それぞれのインターフェース、この実施例ではＲ６インターフェースを介して複数の基地局、すなわちＢＳと通信する。それぞれの基地局は、そのサービスエリア内の移動局または移動加入者局（ＭＳＳ：ｍｏｂｉｌｅ  ｓｕｂｓｃｒｉｂｅｒ  ｓｔａｔｉｏｎ）の通信要求に応える。
【００１２】
示されるように、ＢＳは、たとえばＲ１プロトコルまたはＲ１インターフェースによって管理されたエア・インターフェースを介して移動局と通信する。さらに、それぞれ異なるＡＳＮ内の基地局は、各々のインターフェース、この実施例ではＲ８インターフェースを介して互いに直接通信してもよく、それぞれ異なるＡＳＮ内のＡＳＮ−ＧＷは、各々のインターフェース、この実施例ではＲ４インターフェースを介して互いに通信してもよい。
【００１３】
動作において、ＣＳＮは、ホーム・エージェント（ＨＡ：ｈｏｍｅ  ａｇｅｎｔ）として動作してもよく、当技術分野においてよく知られている認証、承認および課金機能を提供することもできる。示されるように、ＣＳＮは、Ｒ２インターフェースを介して移動局と通信することもできる。ＡＳＮ−ＧＷは、特に挙げると各々の基地局にデータをルーティングするためのゲートウェイとして働くことができ、基地局は、移動局の通信要求に対処する。
【００１４】
図２は、ＷｉＭａｘすなわち８０２．１６ｅシステムの分散型アーキテクチャの一例を示している。図２のアーキテクチャは、ＢＳとＡＳＮ−ＧＷの間に１対１の関係が存在することを除いて、図１のアーキテクチャに類似する。すなわち、それぞれのＡＳＮは、１つのＢＳと、ＡＳＮ−ＧＷ対とを含む。
【００１５】
図１および２の両方のアーキテクチャに関して、ＢＳおよびＡＳＮ−ＧＷは、別々の位置にある別々の装置であってもよく、またはＢＳおよびＡＳＮ−ＧＷは、同じ位置にあってもよく、またはＢＳおよびＡＳＮ−ＧＷは、単一の装置として実装してもよい。
【００１６】
第１の例示的な実施形態
次いで、本発明の一実施形態によるシームレスなセッション転送のための方法について、図１および２を参照して述べる。最初にＣＳＮは、ＭＳＳの通信要求に現在応えているＡＳＮとデータを通信する（データをそこに送信し、そこからデータを受信する）。より具体的には、ＣＳＮは、ＡＳＮのＡＳＮ−ＧＷとデータを通信し、ＡＳＮ−ＧＷは、移動局の通信要求に応えている基地局とデータを通信する。インターネットと移動局の間のデータ通信は、セッションと呼ばれる。
【００１７】
ＣＳＮおよびＡＳＮ−ＧＷは、以下ＡＳＮユニットと呼ばれる単位のデータを通信する。ＡＳＮユニットには第１の粒度（granularity）またはサイズを有する。一例として、ＡＳＮユニットは、ＩＰデータ・パケットであってもよい。ＡＳＮ−ＧＷは、受信された各ＡＳＮユニットに番号を割り当ててもよい。番号は、連続して割り当てられてもよく、シーケンス番号と呼ばれる。あるいは、ＡＳＮユニットは埋込み型シーケンス番号を含んでいてもよく、その場合には、ＡＳＮユニット自体が、シーケンス番号を示す。
【００１８】
ＡＳＮ−ＧＷは、基地局にＡＳＮユニットを通信する。ＢＳは、移動局への送信のためにＡＳＮユニットを、以下ＢＳユニットと呼ばれる単位に形成する。たとえば、ＡＳＮユニットはＩＰパケットであってもよく、ＢＳユニットはパケット・データ・ユニット（ＰＤＵ：ｐａｃｋｅｔ  ｄａｔａ  ｕｎｉｔ）であってもよい。
【００１９】
ＢＳユニットは、第１の粒度と同じであることも、それとは異なることもある第２の粒度またはサイズを有する。ＢＳユニットがＡＳＮユニットと同じサイズである一実施形態では、ＡＳＮユニットは、何らかの形成プロセスを経るのとは異なり、ＢＳユニットとして直接使用されてもよい。一実施形態では、ＢＳユニットは、ＡＳＮユニットが２つ以上のＢＳユニットに分割されるように、ＡＳＮユニットよりも小さい。別の実施形態では、ＢＳユニットは、ＢＳユニットが少なくとも２つのＡＳＮユニットの部分を含むように、ＡＳＮユニットよりも大きい。たとえば、ＢＳユニットは、ＡＳＮユニットの最後の部分または全体、および次のＡＳＮユニットの最初の部分を含んでもよい。
【００２０】
またＢＳユニットは、固定サイズであっても、可変サイズであってもよい。たとえば、ＢＳユニットは、固定サイズである場合は、固定のサイズを満たすようにパディングされてもよい。しかし、これは、制限されたエア・インターフェース通信チャネルを必ずしも最適に使用しているとは限らない。したがって、複数の規格が、可変長のＢＳユニットの形成を提供している。
【００２１】
本発明はサービス側ネットワークから別のネットワークへの移動局の受け渡しを伴うので、サービス側ＡＳＮは、ソースＡＳＮ、およびＡＳＮのネットワーク要素と呼ばれ、すなわち基地局およびＡＳＮ−ＧＷは、それぞれソース基地局またはＳ−ＢＳ、およびソースＡＳＮゲートウェイまたはＳ−ＡＳＮ−ＧＷと呼ばれる。同様に、移動局ＭＳＳが受け渡されるＡＳＮは、ターゲットＡＳＮ、およびターゲットＡＳＮのネットワーク要素と呼ばれ、すなわちＢＳおよびＡＳＮ−ＧＷは、ターゲット基地局またはＴ−ＢＳ、およびターゲットＡＳＮゲートウェイまたはＴ−ＡＳＮ−ＧＷと呼ばれる。
【００２２】
移動局のハンドオフの間、移動局の通信要求は、ソースＡＳＮからターゲットＡＳＮに、より具体的にはＳ−ＢＳからＴ−ＢＳに転送される。たとえばハンドオフを実施するためのメッセージングは、よく知られており、複数の無線通信プロトコルに記述されている。分かりやすくするために、このシグナリングについては詳細に述べない。そうではなく、本発明のこの実施形態を実施するためのシグナリングについて詳細に述べる。
【００２３】
Ｓ−ＡＳＮ−ＧＷから受信されたＡＳＮユニットのシーケンス番号を使用して、Ｓ−ＢＳは、ＭＳＳに送達された（すなわち送信され肯定応答された）、および送達されていない（すなわち送信されていない、または送信されたが肯定応答されていない）ＡＳＮユニットを追跡する。ハンドオフ手順が開始するとき、Ｓ−ＢＳは、移動局が受け渡されることを示すハンドオフ（ＨＯ：ハンドオフ）データ移送メッセージの一環として、第１の未送達のＡＳＮユニットのシーケンス番号をＳ−ＡＳＮ−ＧＷに伝達する。第１の未送達ＡＳＮユニットは、ＭＳＳに完全には送達されていない最も早いシーケンス番号を有するＡＳＮユニットである。ＢＳユニットがＡＳＮユニットと同じ粒度でない場合、第１の未送達ＡＳＮユニットのすべてではないがその一部が、ＭＳＳに送達されている可能性がある。Ｓ−ＡＳＮ−ＧＷは、ハンドオフ開始シーケンス・メッセージでＴ−ＡＳＮ−ＧＷに第１の未送達ＡＳＮユニットのシーケンス番号を送信し、このメッセージは、Ｔ−ＡＳＮ−ＧＷがハンドオフ開始シーケンス・メッセージ内のシーケンス番号でＡＳＮユニット・シーケンスの番号付与を開始すべきであることを示す。あるいは、送達された第１の未送達ＡＳＮユニットの直前のＡＳＮユニットのシーケンス番号が、ハンドオフ開始シーケンス・メッセージで送信されてもよい。この時点で、Ｔ−ＡＳＮ−ＧＷは、受信されたシーケンス番号の増分から始めて、シーケンス番号の割当てを開始する。Ｔ−ＡＳＮ−ＧＷは、Ｔ−ＢＳにこのシーケンス番号を提供することもできる。
【００２４】
Ｓ−ＢＳは、Ｔ−ＢＳにメディア・アクセス制御（ＭＡＣ：ｍｅｄｉｕｍ  ａｃｃｅｓｓ  ｃｏｎｔｒｏｌ）状態情報をも伝達する。この情報は、粒度情報と、うまく送達された可能性がある第１の未送達ＡＳＮユニットの部分の表示と、移動局ＭＳＳに送達された、第１未送達のＡＳＮユニットより後のシーケンス番号を有するＡＳＮユニットの表示とを含む。当技術分野において知られているように、ＡＳＮユニットが移動局に連続して送信される場合でも、移動局はこれらのＡＳＮユニットを必ずしも順番に受信するとは限らない。したがって、第１の未送達のＡＳＮユニットより後のＡＳＮユニットが、ＭＳＳに送信されている可能性がある。
【００２５】
粒度情報は、ＢＳユニットの粒度（すなわち第２の粒度）を示し、ＢＳユニットを形成するための方法論またはプロトコルを示すこともできる。ＢＳユニットを形成するための方法論またはプロトコルを示すことは、ＢＳユニットが可変長であり得る場合に特に有用である。
【００２６】
ＡＳＮユニットがＢＳユニットより大きい粒度を有する場合、うまく送達された第１の未送達ＡＳＮユニットの１つまたは複数の部分が、送達された第１の未送達ＡＳＮユニットのＢＳユニットを識別することによって示されてもよい。あるいは、この表示は、うまく送達されていない第１の未送達ＡＳＮユニットのＢＳユニットを識別することによって提供されてもよい。さらなる代替案として、Ｓ−ＢＳは、バイトやビットなどの知られている固定の量を使用して、送達済みのまたは未送達のＡＳＮユニットの部分を示してもよい。この状況では、ＭＡＣ状態情報は、粒度情報を含まないことがある。別の実施形態では、送達済みまたは未送達の第１の未送達ＡＳＮユニットの部分の表示を伝達するのではなく、第１の未送達ＡＳＮユニットの未送達の部分が、Ｓ−ＢＳによってＴ−ＢＳに送信されてもよい。この状況では、ＭＡＣ状態情報は、粒度情報を含まないことがある。
【００２７】
この情報の伝達は、直接にＲ８インターフェースを介して行われてもよい。あるいは、この情報は、Ｓ−ＡＳＮ−ＧＷ、Ｒ４インターフェースおよびＴ−ＡＳＮ−ＧＷを介してＴ−ＢＳに伝達されてもよい。
【００２８】
ハンドオフ手順を終了し、Ｔ−ＢＳが移動局の通信要求に応える役割を引き継ぐとき、ＣＳＮからＳ−ＡＳＮ−ＧＷへのＡＳＮユニットの通信は、第１の未送達ＡＳＮユニットから始めて、Ｓ−ＡＳＮ−ＧＷからＴ−ＡＳＮ−ＧＷにトンネリングされる。次いで、Ｔ−ＡＳＮ−ＧＷは、トンネリングされたＡＳＮユニットをＴ−ＢＳに送信する。Ｔ−ＡＳＮ−ＧＷは、Ｓ−ＡＳＮ−ＧＷから受信された第１の未送達ＡＳＮユニットのシーケンス番号を使用して、シーケンス番号付与を継続する。Ｓ−ＢＳから受信された情報、およびＴ−ＡＳＮ−ＧＷからのシーケンス番号に基づいて、Ｔ−ＢＳは、ＡＳＮユニットをＢＳユニットに形成し、ＭＳＳにうまく送達されていない第１の未送達ＡＳＮユニットの部分を送信する。また、受信された情報を使用して、Ｔ−ＢＳは、既に送達された、第１の未送達ＡＳＮユニットより後のシーケンス番号を有するＡＳＮユニットを送信しない。結局、ＣＳＮからのＡＳＮユニットのストリームは、Ｔ−ＡＳＮ−ＧＷに直接送信される。
【００２９】
第２の例示的な実施形態
第１の例示的な実施形態と同様に、この第２の例示的な実施形態では最初に、ＣＳＮはＭＳＳの通信要求に現在応えているＡＳＮとデータを通信し（そこにデータを送信し、そこからデータを受信し）、移動局は、移動局の通信要求をＳ−ＢＳからＴ−ＢＳに転送するためのハンドオフ手順に入る。分かりやすくするために、このハンドオフ・シグナリングについては詳細に述べない。そうではなく、本発明のこの実施形態を実施するためのシグナリングについて述べる。
【００３０】
第１の例示的な実施形態と同様に、この実施形態では、Ｓ−ＢＳは、ＡＳＮ−ＧＷから受信されたＡＳＮユニットのシーケンス番号を使用して、ＭＳＳへの送達済みおよび未送達のＡＳＮユニットを追跡する。ハンドオフ手順が開始するとき、Ｓ−ＢＳは、ハンドオフが行われることを示すハンドオフ事前移送メッセージで、シーケンス内の最後の送達済みＡＳＮユニットのシーケンス番号をＳ−ＡＳＮ−ＧＷに伝達する。シーケンス内最後の送達済みＡＳＮユニットは、それより前のシーケンス番号を有する未送達ＡＳＮユニットは存在しない、送達済みＡＳＮユニットの最新のシーケンス番号を有する。つまり、シーケンス内最後の送達済みＡＳＮユニットは、ＡＳＮユニットのシーケンス内の第１の未送達ＡＳＮユニットの直前のＡＳＮユニットである。あるいは、Ｓ−ＡＳＮ−ＧＷは、第１の未送達ＡＳＮユニットのシーケンス番号をＴ−ＡＳＮ−ＧＷに送信してもよい。
【００３１】
Ｓ−ＢＳを介したデータの通信が、データをＴ−ＡＳＮ−ＧＷにＳ−ＡＳＮ−ＧＷからトンネリングする前に終了する第１の例示的な実施形態と異なり、この実施形態ではデータがＳ−ＢＳから移動局に引き続き送信され、このデータは、Ｓ−ＡＳＮ−ＧＷからＴ−ＡＳＮ−ＧＷにトンネリングされる。したがって、第１の例示的な実施形態で論じたように、Ｓ−ＡＳＮ−ＧＷからＴ−ＡＳＮ−ＧＷにハンドオフ開始シーケンス・メッセージを送信した後に、またはこのメッセージの送信と一緒に、未送達ＡＳＮユニットは、Ｔ−ＡＳＮ−ＧＷからＴ−ＢＳにトンネリングされる。第１の例示的な実施形態で論じたように、Ｔ−ＡＳＮ−ＧＷは、Ｓ−ＡＳＮ−ＧＷから受信されたシーケンス番号を使用してＡＳＮユニットの番号付与を継続する。このシーケンス番号は、Ｔ−ＢＳにＴ−ＡＳＮ−ＧＷから送信することもできる。あるいは、ＡＳＮユニットは、埋込み型のシーケンス番号を含むこともでき、その場合、ＡＳＮユニット自体が、ＡＳＮユニットのシーケンス番号を示す。
【００３２】
ハンドオフ手順が完了しようとするとき、Ｓ−ＢＳは、ハンドオフ・データ移送メッセージで、Ｓ−ＡＳＮ−ＧＷにＳ−ＢＳへのデータ送信を停止するように通知する。またＳ−ＢＳは、Ｔ−ＢＳにハンドオフ・データ移送メッセージおよびＭＡＣ状態情報を伝達する。ハンドオフ移送メッセージは、ハンドオフが完了しようとしていることを示す。ＭＡＣ状態情報は、（上述の代替案を含めて）第１の例示的な実施形態で上述したのと同じである。この情報の伝達は、直接にＲ８インターフェースを介して行われてもよい。あるいは、この情報は、Ｓ−ＡＳＮ−ＧＷ、Ｒ４インターフェースおよびＴ−ＡＳＮ−ＧＷを介してＴ−ＢＳに伝達されてもよい。
【００３３】
データは、ハンドオフ手順の終了後、Ｓ−ＡＳＮ−ＧＷからＴ−ＡＳＮ−ＧＷに引き続きトンネリングされ、結局、ＣＳＮからのＡＳＮユニットのストリームは、Ｔ−ＡＳＮ−ＧＷに直接送信される。
【００３４】
第３の例示的な実施形態
上記の諸実施形態に関して、これらの実施形態および本発明の方法は、移動局のネットワーク内転送のために図１の集中型アーキテクチャに適用することもできる。ネットワーク内転送では、移動局は、ＡＳＮ内のＳ−ＢＳから同じＡＳＮ内のＴ−ＢＳに受け渡される。したがって、上記の諸実施形態で論じたＳ−ＡＳＮ−ＧＷからＴ−ＡＳＮ−ＧＷへの通信は、Ｓ−ＡＳＮ−ＧＷとＴ−ＡＳＮ−ＧＷが全く同一であるので行われない。しかし、Ｓ−ＢＳからＡＳＮ−ＧＷ、ＡＳＮ−ＧＷからＴ−ＢＳ、またはＳ−ＢＳからＴ−ＢＳへの通信は、上述したように依然として行われる。したがって、本発明は、集中型アーキテクチャ内でもシームレスなネットワーク内転送を提供する。
【００３５】
本発明の諸実施形態についてＷｉＭａｘすなわち８０２．１６ｅアーキテクチャで実装されるものとして述べたが、本発明は、これらのアーキテクチャまたはこの無線通信規格での実装に限定されない。
【００３６】
本発明についてこのように述べたが、本発明は、多くのやり方で変更され得ることが明らかであろう。こうした変形は、本発明から逸脱するものと見なすべきではなく、こうしたすべての修正は、本発明の範囲内に含まれるものである。
【図面の簡単な説明】
【００３７】
【図１】例示的な集中型無線ネットワーク・アーキテクチャの図である。
【図２】例示的な分散型無線ネットワーク・アーキテクチャの図である。
【図１】
2008546311.tif 000003
【図２】
2008546311.tif 000004
【国際調査報告】
2008546311.tif 000005
2008546311.tif 000006
2008546311.tif 000007